(57)【要約】【課題】  ディスプレイスピーカーが再生する音声が、音声処理装置に接続された音声に対して遅延することを防止する。【解決手段】  ＡＶアンプは、第１ｃｈ音声データを設定手段によって設定された遅延時間だけ遅延させる第１遅延手段と、遅延された第１ｃｈ音声データをディスプレイ装置に送信し、ディスプレイスピーカーから再生させる送信手段と、第２ｃｈ音声データを設定手段によって設定された遅延時間だけ遅延させる第２遅延手段と、遅延された第２チャンネル音声データを、ＡＶアンプに接続されたスピーカーから再生させる再生手段と、ディスプレイ装置の音声処理にかかるディスプレイ側遅延時間をディスプレイ装置から受信する受信手段と、第１遅延手段及び第２遅延手段の各遅延時間を設定し、かつ、ディスプレイ側遅延時間を第２遅延手段の遅延時間に加算する設定手段とを備える。【選択図】図５
2013090303.tif 000002
【特許請求の範囲】
【請求項１】
ディスプレイスピーカーを備えるディスプレイ装置と、複数のスピーカーとが接続可能な音声処理装置であって、
マルチチャンネル音声データに含まれる第１チャンネル音声データを設定手段によって設定された遅延時間だけ遅延させる第１遅延手段と、
前記第１遅延手段によって遅延された第１チャンネル音声データを前記ディスプレイ装置に送信し、前記ディスプレイスピーカーから再生させる送信手段と、
前記マルチチャンネル音声データに含まれる第２チャンネル音声データを前記設定手段によって設定された遅延時間だけ遅延させる第２遅延手段と、
前記第２遅延手段によって遅延された前記第２チャンネル音声データを、前記音声処理装置に接続されたスピーカーから再生させる再生手段と、
前記ディスプレイ装置の音声処理にかかるディスプレイ側遅延時間を前記ディスプレイ装置から受信する受信手段と、
前記第１遅延手段および前記第２遅延手段の各遅延時間を設定し、かつ、前記ディスプレイ装置の音声処理にかかるディスプレイ側遅延時間を前記第２遅延手段の遅延時間に加算する前記設定手段とを備える、音声処理装置。
【請求項２】
前記第１チャンネル音声データを前記ディスプレイスピーカーから再生するか、又は、前記第１チャンネル音声データを前記音声処理装置に接続されたスピーカーから再生するかをユーザ操作に応じて切換える切換手段をさらに備え、
前記第１チャンネル音声データを前記ディスプレイスピーカーから再生する場合に、前記ディスプレイ装置の音声処理にかかるディスプレイ側遅延時間を前記第２遅延手段の遅延時間に加算し、
前記第１チャンネル音声データを前記音声処理装置に接続されたスピーカーから再生する場合に、前記ディスプレイ装置の音声処理にかかるディスプレイ側遅延時間を前記第２遅延手段の遅延時間に加算しない、請求項１に記載の音声処理装置。
【請求項３】
前記ディスプレイ装置の各音響処理毎にディスプレイ側遅延時間が異なっており、
前記設定手段が、前記ディスプレイ装置の現在設定されている音響処理に対応するディスプレイ側遅延時間を特定し、前記第２遅延手段の遅延時間に加算する、請求項１に記載の音声処理装置。
【請求項４】
前記ディスプレイ装置の音声処理にかかるディスプレイ側遅延時間と、前記第１チャンネル音声データには実行されず前記第２チャンネル音声データに実行される前記音声処理装置の音声処理にかかる音声処理装置側遅延時間とを比較する比較手段と、
前記ディスプレイ側遅延時間が前記音声処理装置側遅延時間よりも大きい場合、前記ディスプレイ側遅延時間から前記音声処理装置側遅延時間を減算して補正用遅延時間を算出し、前記音声処理装置側遅延時間が前記ディスプレイ側遅延時間よりも大きい場合、前記音声処理装置側遅延時間から前記ディスプレイ側遅延時間を減算して補正用遅延時間を算出する算出手段とをさらに備え、
前記ディスプレイ側遅延時間が前記音声処理装置側遅延時間よりも大きい場合、前記設定手段が、前記補正用遅延時間を前記第２遅延手段の遅延時間に加算し、
前記音声処理装置側遅延時間が前記ディスプレイ側遅延時間よりも大きい場合、前記設定手段が、前記補正用遅延時間を前記第１遅延手段の遅延時間に加算する、請求項１に記載の音声処理装置。
【請求項５】
複数のスピーカーが接続可能であり、マルチチャンネル音声データに含まれる第１チャンネル音声データを設定手段によって設定された遅延時間だけ遅延させる第１遅延手段と、前記第１遅延手段によって遅延された第１チャンネル音声データをディスプレイ装置に送信する送信手段と、前記マルチチャンネル音声データに含まれる第２チャンネル音声データを前記設定手段によって設定された遅延時間だけ遅延させる第２遅延手段と、前記第２遅延手段によって遅延された前記第２チャンネル音声データを、前記音声処理装置に接続されたスピーカーから再生させる再生手段と、前記ディスプレイ装置の音声処理にかかるディスプレイ側遅延時間を前記ディスプレイ装置から受信する受信手段と、前記第１遅延手段および前記第２遅延手段の各遅延時間を設定し、かつ、前記ディスプレイ装置の音声処理にかかるディスプレイ側遅延時間を前記第２遅延手段の遅延時間に加算する前記設定手段とを備える音声処理装置が接続可能な前記ディスプレイ装置であって、
ディスプレイスピーカーと、
前記第１遅延手段によって遅延された第１チャンネル音声データを受信する音声受信手段と、
前記第１遅延手段によって遅延された第１チャンネル音声データを前記ディスプレイスピーカーから再生する音声再生手段と、
前記ディスプレイ装置の音声処理にかかるディスプレイ側遅延時間を前記音声処理装置に送信する情報送信手段とを備える、ディスプレイ装置。
【発明の詳細な説明】
【技術分野】
【０００１】
本発明は、音声処理装置に関し、マルチチャンネル音声データを、音声処理装置に接続されたスピーカーおよびディスプレイが備えるディスプレイスピーカーから再生する音声処理装置に関する。
【背景技術】
【０００２】
ＨＤＭＩ規格に準拠したソース機器であるＢＤプレーヤと、リピーター機器であるＡＶアンプと、シンク機器であるディスプレイ装置とを備える音声再生システムが利用されており、ソース機器から出力されるＨＤＭＩデータに映像データ及び音声データを含めることにより、１本のＨＤＭＩケーブルによって映像データ及び音声データの両方をリピーター機器又はシンク機器に送信することができる。ＡＶアンプは、ＢＤプレーヤから受信したＨＤＭＩデータを元の映像データ及び音声データに変換し、音声データを増幅してスピーカーに出力すると共に、映像データを再度ＨＤＭＩデータに変換し、ディスプレイ装置に送信する。ディスプレイ装置は、受信したＨＤＭＩデータを元の映像データに変換して表示する。
【０００３】
ＢＤプレーヤからＡＶアンプに送信されるＨＤＭＩデータに含まれている音声データは、マルチチャンネル音声データがエンコードされたものである。例えば、マルチチャンネル音声データは、左音声データＬ、右音声データＲ、中央音声データＣ、低域音声データＳＷ、サラウンド左音声データＳＬ、サラウンド右音声データＳＲを含む５．１ｃｈのマルチチャンネル音声データが採用されている。また、最近では、Dolby True HD、Dolby Digital Plus、DTS-HD等のＨＤ（High
Definition）関連の音声フォーマットが登場してきており、これらのフォーマットにおいては、例えば、サラウンド後方左音声データＳＢＬ、サラウンド後方右音声データＳＢＲ、左上側音声データＬｈ、右上側音声データＲｈ、左外側音声データＬｗ、右外側音声データＲｗがさらに追加されている。
【０００４】
下記特許文献１には、以下の技術を記載する。ＡＶアンプにおいて、ＨＤＭＩ受信部は、ＢＤプレーヤから受信したＨＤＭＩデータから、元の映像データと元のマルチチャンネル音声データとを生成し、映像データをＨＤＭＩ送信部に供給し、音声データを音声処理部に供給する。音声処理部は、マルチチャンネル音声データをデコードし、中央音声データＣのみをＨＤＭＩ送信部に供給し、他のチャンネルの音声データをＤ／Ａ変換し、増幅処理し、スピーカーに出力する。ＨＤＭＩ送信部は、供給された映像データと中央音声データＣとからＨＤＭＩデータを生成し、ディスプレイ装置に送信する。ディスプレイ装置は、受信したＨＤＭＩデータから元の映像データと中央音声データＣとを生成し、映像を表示すると共に、中央音声データＣを内蔵するディスプレイスピーカーから再生する。
【０００５】
ここで、ディスプレイ装置がＤＳＰやデジタルアンプ（スイッチングアンプ等）を備える場合、ＤＳＰやデジタルアンプにおける音声処理にかかる時間によって、ＡＶアンプに接続されたスピーカーから再生される音声に対して、ディスプレイ装置のディスプレイスピーカーで再生される中央音声データＣの音声がかなり遅延してしまうという問題がある。なお、ディスプレイ装置のディスプレイスピーカーを使用して中央音声データＣを再生する場合だけに限らず、他のチャンネルの音声データ（例えば、左上側音声データＬｈ、右上側音声データＲｈ等）をディスプレイ装置のディスプレイスピーカーで再生する場合にも同様の問題が生じる。
【先行技術文献】
【特許文献】
【０００６】
【特許文献１】特開２００７−２８８２４７号公報
【発明の概要】
【発明が解決しようとする課題】
【０００７】
本発明は上記従来の課題を解決するためになされたものであり、その目的は、所定チャンネルの音声データをディスプレイ装置に送信し、ディスプレイ装置が備えるディスプレイスピーカーから再生する場合に、ディスプレイ装置のディスプレイスピーカーが再生する音声が、音声処理装置に接続されたスピーカーから再生される音声に対して遅延することを防止する音声処理装置を提供することである。
【課題を解決するための手段】
【０００８】
本発明の好ましい実施形態による音声処理装置は、ディスプレイスピーカーを備えるディスプレイ装置と、複数のスピーカーとが接続可能な音声処理装置であって、前記マルチチャンネル音声データに含まれる第１チャンネル音声データを設定手段によって設定された遅延時間だけ遅延させる第１遅延手段と、前記第１遅延手段によって遅延された第１チャンネル音声データを前記ディスプレイ装置に送信し、前記ディスプレイスピーカーから再生させる送信手段と、前記マルチチャンネル音声データに含まれる第２チャンネル音声データを前記設定手段によって設定された遅延時間だけ遅延させる第２遅延手段と、前記第２遅延手段によって遅延された前記第２チャンネル音声データを、前記音声処理装置に接続されたスピーカーから再生させる再生手段と、前記ディスプレイ装置の音声処理にかかるディスプレイ側遅延時間を前記ディスプレイ装置から受信する受信手段と、前記第１遅延手段および前記第２遅延手段の各遅延時間を設定し、かつ、前記ディスプレイ装置の音声処理にかかるディスプレイ側遅延時間を前記第２遅延手段の遅延時間に加算する前記設定手段とを備える。
【０００９】
本実施形態によると、音声処理装置は、ディスプレイ装置からディスプレイ装置の音声処理にかかるディスプレイ側遅延時間を取得し、ディスプレイ側遅延時間を第２遅延手段の遅延時間に加算する。従って、ディスプレイスピーカーから再生される第１チャンネル音声データの音声が、音声処理装置に接続されたスピーカーから再生される第２チャンネル音声データの音声に対して遅延することを防止することができる。
【００１０】
好ましい実施形態においては、前記第１チャンネル音声データを前記ディスプレイスピーカーから再生するか、又は、前記第１チャンネル音声データを前記音声処理装置に接続されたスピーカーから再生するかをユーザ操作に応じて切換える切換手段をさらに備え、前記第１チャンネル音声データを前記ディスプレイスピーカーから再生する場合に、前記ディスプレイ装置の音声処理にかかるディスプレイ側遅延時間を前記第２遅延手段の遅延時間に加算し、前記第１チャンネル音声データを前記音声処理装置に接続されたスピーカーから再生する場合に、前記ディスプレイ装置の音声処理にかかるディスプレイ側遅延時間を前記第２遅延手段の遅延時間に加算しない。
【００１１】
この場合、第１チャンネル音声データを、ディスプレイスピーカーではなく、音声処理装置に接続されたスピーカーから再生する場合に、ディスプレイ装置の音声処理にかかるディスプレイ側遅延時間を第２遅延手段の遅延時間に加算しないので、音声処理装置に接続されたスピーカーから再生される第１チャンネル音声データの音声が、音声処理装置に接続されたスピーカーから再生される第２チャンネル音声データの音声に対して遅延することを防止できる。
【００１２】
好ましい実施形態においては、前記ディスプレイ装置の各音響処理毎にディスプレイ側遅延時間が異なっており、前記設定手段が、前記ディスプレイ装置の現在設定されている音響処理に対応するディスプレイ側遅延時間を特定し、前記第２遅延手段の遅延時間に加算する。
【００１３】
好ましい実施形態においては、前記ディスプレイ装置の音声処理にかかるディスプレイ側遅延時間と、前記第１チャンネル音声データには実行されず前記第２チャンネル音声データに実行される前記音声処理装置の音声処理にかかる音声処理装置側遅延時間とを比較する比較手段と、前記ディスプレイ側遅延時間が前記音声処理装置側遅延時間よりも大きい場合、前記ディスプレイ側遅延時間から前記音声処理装置側遅延時間を減算して補正用遅延時間を算出し、前記音声処理装置側遅延時間が前記ディスプレイ側遅延時間よりも大きい場合、前記音声処理装置側遅延時間から前記ディスプレイ側遅延時間を減算して補正用遅延時間を算出する算出手段とをさらに備え、前記ディスプレイ側遅延時間が前記音声処理装置側遅延時間よりも大きい場合、前記設定手段が、前記補正用遅延時間を前記第２遅延手段の遅延時間に加算し、前記音声処理装置側遅延時間が前記ディスプレイ側遅延時間よりも大きい場合、前記設定手段が、前記補正用遅延時間を前記第１遅延手段の遅延時間に加算する。
【００１４】
本発明の好ましい実施形態によるディスプレイ装置は、複数のスピーカーが接続可能であり、マルチチャンネル音声データに含まれる第１チャンネル音声データを設定手段によって設定された遅延時間だけ遅延させる第１遅延手段と、前記第１遅延手段によって遅延された第１チャンネル音声データをディスプレイ装置に送信する送信手段と、前記マルチチャンネル音声データに含まれる第２チャンネル音声データを前記設定手段によって設定された遅延時間だけ遅延させる第２遅延手段と、前記第２遅延手段によって遅延された前記第２チャンネル音声データを、前記音声処理装置に接続されたスピーカーから再生させる再生手段と、前記ディスプレイ装置の音声処理にかかるディスプレイ側遅延時間を前記ディスプレイ装置から受信する受信手段と、前記第１遅延手段および前記第２遅延手段の各遅延時間を設定し、かつ、前記ディスプレイ装置の音声処理にかかるディスプレイ側遅延時間を前記第２遅延手段の遅延時間に加算する前記設定手段とを備える音声処理装置が接続可能な前記ディスプレイ装置であって、ディスプレイスピーカーと、前記第１遅延手段によって遅延された第１チャンネル音声データを受信する音声受信手段と、前記第１遅延手段によって遅延された第１チャンネル音声データを前記ディスプレイスピーカーから再生する音声再生手段と、前記ディスプレイ装置の音声処理にかかるディスプレイ側遅延時間を前記音声処理装置に送信する情報送信手段とを備える。
【発明の効果】
【００１５】
本発明によると、所定チャンネルの音声データをディスプレイ装置に送信し、ディスプレイ装置が備えるディスプレイスピーカーから再生する場合に、ディスプレイ装置のディスプレイスピーカーが再生する音声が、音声処理装置に接続されたスピーカーから再生される音声に対して遅延することを防止する音声処理装置を提供することができる。
【図面の簡単な説明】
【００１６】
【図１】ディスプレイ装置、ＡＶアンプ、スピーカーの接続構成及び設置位置を示す図である。
【図２】ディスプレイ装置、ＡＶアンプ、ＢＤプレーヤの構成を示すブロック図である。
【図３】ＡＶアンプの音声処理部等を示すブロック図である。
【図４】ディスプレイ装置の音声処理部等を示すブロック図である。
【図５】ＡＶアンプおよびディスプレイ装置処理を示すフローチャートである。
【図６】ＤＳＰの音響処理に対する遅延時間を管理するテーブルである。
【図７】ＡＶアンプおよびディスプレイ装置処理を示すフローチャートである。
【図８】ＡＶアンプおよびディスプレイ装置処理を示すフローチャートである。
【発明を実施するための形態】
【００１７】
以下、本発明の好ましい実施形態によるディスク再生装置（ソース機器、ＢＤ（ブルーレイディスク）プレーヤ）、音声処理装置（リピータ機器、ＡＶアンプ）およびディスプレイ装置（シンク機器、テレビジョン受像機）を備える音声再生システムついて、図面を参照して具体的に説明するが、本発明はこれらの実施形態には限定されない。本実施形態においては、第１チャンネル音声データが中央音声データＣである場合を例に説明するが、これに限定されず、左上側音声データＬｈ、右上側音声データＲｈ等の任意の他のチャンネルであっても良い。本実施形態においては、第２チャンネル音声データは、ＡＶアンプ２０が受信するマルチチャンネル音声データに含まれる第１チャンネル音声データ以外のチャンネルの音声データである。
【００１８】
図１は、本実施形態における、ＡＶアンプ２０、ディスプレイ装置３０、及び、各スピーカーの配置の一例を説明する図である（ＢＤプレーヤ１０の記述は省略している）。ディスプレイ装置３０には、表示部３２と、ディスプレイ左スピーカーＳＬＤと、ディスプレイ右スピーカーＳＲＤとが設けられている。ＡＶアンプ２０には、ＨＤＭＩケーブルを介してディスプレイ装置３０が接続され、左スピーカーＳＬ、右スピーカーＳＲ、中央スピーカーＳＣ、低域スピーカーＳＳＷ、サラウンド左スピーカーＳＳＬ、サラウンド右スピーカーＳＳＲが接続されている。なお、ディスプレイ左スピーカーＳＬＤと、ディスプレイ右スピーカーＳＲＤとから中央音声データＣを再生する場合において、ＡＶアンプ２０に中央スピーカーＳＣを接続する必要はないが、参考のために記載している。
【００１９】
図２は、ＢＤプレーヤ１０、ＡＶアンプ２０およびディスプレイ装置３０の構成を示すブロック図である。ＢＤプレーヤ１０、ＡＶアンプ２０およびディスプレイ装置３０は、例えばＨＤＭＩ規格に準拠しており、ＨＤＭＩケーブルを介して相互に接続されている。
【００２０】
［ＢＤプレーヤ１０の構成］
ＢＤプレーヤ１０は、再生部１１と、ＨＤＭＩ送信部１３と、制御部１４と、操作表示部１５と、メモリ（ＲＯＭ、ＲＡＭ、フラッシュメモリ等）１６と、コネクタ部１７とを有している。
【００２１】
再生部１１は、ブルーレイディスク（以下、単にディスクという。）に記録されている映像データをディスクから読み出して、ＨＤＭＩ送信部１３に供給する。また、再生部１１は、ディスクに記録されているエンコードされたマルチチャンネル音声データをディスクから読み出して、ＨＤＭＩ送信部１３に供給する。再生部１１は、図示しない光ピックアップ、サーボ回路、ＭＰＥＧデコーダ、音声デコーダ等を含む。
【００２２】
ＨＤＭＩ送信部１３は、再生部１１から供給された映像データおよび音声データを、制御部１４からのコマンドにより、ＨＤＭＩ規格のデータ（以下、ＨＤＭＩデータという。）に変換する。ＨＤＭＩ送信部１３は、ＨＤＭＩデータをコネクタ部１７を介してＨＤＭＩケーブル経由でＡＶアンプ２０に送信する。ＨＤＭＩ送信部１３は、ＨＤＭＩデータを送受信するＴＭＤＳライン（通常は複数存在するが図２では簡単のため１本のラインのみを記載している）、および、接続の有無を判断するためのホットプラグを介して、ＡＶアンプ２０のＨＤＭＩ受信部２１に接続される。また、ＨＤＭＩ送信部１３は、認証情報やＥＤＩＤを読み出すためのＤＤＣラインを介してＡＶアンプ２０のＨＤＭＩ受信部２１、ＰＲＯＭに接続されている。
【００２３】
制御部１４は、内蔵又は接続されたメモリ１６に格納されているＢＤプレーヤの動作プログラムに基づいて、再生部１１、ＨＤＭＩ送信部１３、操作表示部１５、メモリ１６等を制御するものであり、例えば、マイクロコンピュータやＣＰＵ等である。制御部１４は、操作表示部１５からの操作入力または各部からの制御信号およびデータに基づいて各種処理を実行する。
【００２４】
制御部１４は、ＣＥＣラインを介してＡＶアンプ２０の制御部２３に接続され、制御部２３とコマンドおよび／またはデータを送受信する。
【００２５】
［ＡＶアンプ２０の構成］
次に、ＡＶアンプ２０の構成を説明する。ＡＶアンプ２０は、ＨＤＭＩ受信部２１と、ＨＤＭＩ送信部２２と、制御部２３と、操作表示部２４と、メモリ（ＲＯＭ、ＲＡＭ、フラッシュメモリ等）２５と、音声処理部２６と、コネクタ部２７、２８とを有している。
【００２６】
ＨＤＭＩ受信部２１は、ＢＤプレーヤ１０から送信されたＨＤＭＩデータを受信して、受信したＨＤＭＩデータから元の映像データ（ＨＤＭＩ変換前の映像データ）を生成して、ＨＤＭＩ送信部２２に供給する。また、ＨＤＭＩ受信部２１は、受信したＨＤＭＩデータから元のマルチチャンネル音声データを生成して、音声処理部２６に供給する。
【００２７】
音声処理部２６は、ＨＤＭＩ受信部２１から供給されたマルチチャンネル音声データをデコードし、音響処理、Ｄ／Ａ変換処理、ボリューム調整処理、増幅処理等の各処理を実行し、外部に接続されたスピーカー６０（図１の各スピーカーに対応）に各チャンネルの音声信号を供給する。また、必要に応じて、音声処理部２６は、第１チャンネル音声データをＨＤＭＩ送信部２２に供給する。
【００２８】
ここで、音声処理部２６に供給されるマルチチャンネル音声データについて説明する。例えば、マルチチャンネル音声データは、左音声データＬ、右音声データＲ、中央音声データＣ、低域音声データＳＷ、サラウンド左音声データＳＬ、サラウンド右音声データＳＲを含む５．１ｃｈのマルチチャンネル音声データが採用されている。また、最近では、Dolby True HD、Dolby Digital Plus、DTS-HD等のＨＤ（High
Definition）関連の音声フォーマットが登場してきており、これらのフォーマットにおいては、例えば、サラウンド後方左音声データＳＢＬ、サラウンド後方右音声データＳＢＲ、左上側音声データＬｈ、右上側音声データＲｈ、左外側音声データＬｗ、右外側音声データＲｗがさらに追加されている。
【００２９】
図３は、音声処理部２６の構成を示すブロック図である。音声処理部２６は、ＤＳＰ（デジタルシグナルプロセッサ）４１と、ＤＡＣ（デジタル−アナログ変換器）５０と、ボリューム調整部５１と、増幅処理部（プリアンプ、パワーアンプ等）５２と、変換部５３とを有する。
【００３０】
ＤＳＰ４１は、ＨＤＭＩ受信部２１から供給されるマルチチャンネル音声データをデコードし、デコードされた各チャンネルの音声データ（例えば、左音声データＬ、右音声データＲ、中央音声データＣ、低域音声データＳＷ、サラウンド左音声データＳＬ、サラウンド右音声データＳＲ等。）を生成する。これらの音声データのうち、左音声データＬ、右音声データＲ、中央音声データＣ、サラウンド左音声データＳＬ、サラウンド右音声データＳＲは、それぞれ、対応するＨＰＦ（高域通過フィルタ）４２ａ〜４２ｅに供給され、かつ、ＬＰＦ（低域通過フィルタ）４４ａ〜４４ｅに供給される。
【００３１】
ＨＰＦ４２ａ〜４２ｅは、それぞれ、供給されるチャンネルの音声データの高周波数成分を抽出し、遅延手段４３ａ〜４３ｅに供給する。遅延手段４３ａ〜４３ｅは、それぞれ、供給されるチャンネルの音声データを制御部２３によって決定された遅延時間だけ遅延させて、後段に供給する。つまり、遅延手段４３ａは、左音声データＬを加算手段４８ａに供給し、遅延手段４３ｂは、右音声データＲを加算手段４８ｂに供給し、遅延手段４３ｃは、中央音声データＣをスイッチ手段４９に供給し、遅延手段４３ｄは、サラウンド左音声データＳＬをＤＡＣ５０に供給し、遅延手段４３ｅは、サラウンド右音声データＳＲをＤＡＣ５０に供給する。
【００３２】
ＬＰＦ４４ａ〜４４ｅは、それぞれ、供給されるチャンネルの音声データの低周波数成分を抽出し、減衰手段４５ａに供給する。減衰手段４５ａは、供給される各チャンネルの音声データを−２０ｄＢ減衰させ、加算手段４６に供給する。減衰手段４５ｂは、低域音声データＳＷを受信し、低域音声データＳＷを−１０ｄＢ減衰させ、加算手段４６に供給する。加算手段４６は、供給される低域音声データＳＷに、供給される左音声データＬ、右音声データＲ、中央音声データＣ、サラウンド左音声データＳＬ、サラウンド右音声データＳＲの各低周波数成分を加算し、加算後の低域音声データＳＷを遅延手段４３ｆに供給する。
【００３３】
遅延手段４３ｆは、加算手段４６から供給された低域音声信号ＳＷを制御部２３によって決定された遅延時間だけ遅延させて、加算手段４８ａ、４８ｂおよび増幅手段４７に供給する。加算手段４８ａは、遅延手段４３ａから供給される左音声データＬに、遅延手段４３ｆから供給される低域音声データＳＷを加算し、加算後の左音声データＬをＤＡＣ５０に供給する。加算手段４８ｂは、遅延手段４３ｂから供給される右音声データＲに、遅延手段４３ｆから供給される低域音声データＳＷを加算し、加算後の右音声データＲをＤＡＣ５０に供給する。増幅手段４７は、遅延手段４３ｆから供給される低域音声データＳＷを２０ｄＢ増幅し、ＤＡＣ５０に供給する。
【００３４】
スイッチ手段４９は、遅延手段４３ｃから供給される中央音声データＣをＤＡＣ５０に供給するか、又は、変換部５３に供給するかを制御部２３の指示に基づいて切換える。つまり、中央音声データＣをディスプレイ装置３０のスピーカー３７で再生する場合には、スイッチ手段４９は中央音声データＣを変換部５３に供給するように下側に切換えられ、中央音声データＣをＡＶアンプ２０に接続された中央スピーカーＳＣで再生する場合には、スイッチ手段４９は中央音声データＣをＤＡＣ５０に供給するように上側に切換えられる。
【００３５】
ＤＡＣ５０は、ＤＳＰ４１から供給される各チャンネルの音声データをデジタル−アナログ変換し、各チャンネルのアナログ音声信号をボリューム調整部５１に供給する。なお、ＤＡＣ５０は、各チャンネル毎に設けられている。
【００３６】
ボリューム調整部５１は、各チャンネルのアナログの音声信号のボリューム値を調整し、増幅処理部５２に供給する。ボリューム調整部５１は、各チャンネル毎に可変抵抗等のボリューム調整回路が設けられている。
【００３７】
増幅処理部５２は、ボリューム調整部５１から供給された各チャンネルの音声信号を増幅して、各チャンネルのスピーカー出力端子を介して、各チャンネルのスピーカーに出力する。増幅処理部５２は、各チャンネル毎に増幅回路が設けられている。
【００３８】
変換部５３は、スイッチ手段４９から中央音声データＣが供給される。また、変換部５３は、ＤＳＰ４１からビットクロックＢＣＬＫ、マスタークロックＭＣＬＫ及びＬＲクロックＬＲＣＬＫが供給される。変換部５３は、各クロックに基づいて、中央音声データＣをＳＰＤＩＦ（ＰＣＭ）の音声データに変換し、ＨＤＭＩ送信部２２に供給する。
【００３９】
図２に戻って、ＨＤＭＩ送信部２２は、ＨＤＭＩ受信部２１から供給された映像データ、並びに、音声処理部２６の変換部５３から供給された中央音声データＣを、ＨＤＭＩデータに変換する。ＨＤＭＩ送信部２２は、変換したＨＤＭＩデータをディスプレイ装置３０のＨＤＭＩ受信部３１に送信する。
【００４０】
ＨＤＭＩ送信部２２は、ＴＭＤＳラインおよびホットプラグを介して、ディスプレイ装置３０のＨＤＭＩ受信部３１に接続されている。また、ＨＤＭＩ送信部２２は、ＤＤＣラインを介してディスプレイ装置３０のＰＲＯＭ及びＨＤＭＩ受信部３１に接続されている。
【００４１】
制御部２３は、内蔵又は接続されたメモリ２５に記憶されているＡＶアンプ２０の動作プログラムに基づいて、ＨＤＭＩ受信部２１、ＨＤＭＩ送信部２２、操作表示部２４、音声処理部２６等を制御するものであり、例えば、マイクロコンピュータやＣＰＵ等である。制御部２３は、操作表示部２４からの操作入力または各部からの制御信号およびデータに基づいて各種処理を実行する。
【００４２】
制御部２３は、ユーザ操作に応じて、中央音声データＣをディスプレイ装置３０のスピーカー３７から再生する指示が入力されたかを判断する。ディスプレイ装置３０のスピーカー３７から再生する指示が入力された場合、制御部２３は、スイッチ手段４９を下側に切換えさせ、中央音声データＣを変換部５３に供給させる。一方、ＡＶアンプ２０に接続された中央スピーカーＳＣから中央音声データＣを再生する指示が入力された場合、制御部２３は、スイッチ手段４９を上側に切換えさせ、中央音声データＣをＤＡＣ５０に供給させる。
【００４３】
制御部２３は、ＣＥＣラインを介してＢＤプレーヤ１０の制御部１４に接続され、制御部１４とコマンドおよびデータを送受信する。また、制御部２３は、ＣＥＣラインを介してディスプレイ装置３０の制御部３３に接続され、制御部３３とコマンドおよびデータを送受信する。
【００４４】
制御部２３は、ディスプレイ装置３０の制御部３３から、ディスプレイ装置３０の音声処理部３６の音声処理にかかる時間（遅延時間）情報を受信する。遅延時間は、例えば、ディスプレイ装置３０の音声処理部におけるＤＳＰやデジタルアンプの音声処理にかかる時間である。制御部２３は、中央音声データＣ以外の全てのチャンネルの音声データ（左音声データＬ、右音声データＲ、低域音声データＳＷ、サラウンド左音声データＳＬ、サラウンド右音声データＳＲ）の各遅延手段の遅延時間に対して、ディスプレイ装置３０の音声処理部３６の音声処理にかかる遅延時間を加算する。
【００４５】
すなわち、元々、スピーカー配置（中央音声データＣについてはディスプレイスピーカーの配置）とリスナーの位置とに基づいて各チャンネルの音声データの遅延時間が算出されて、各遅延手段毎に、遅延手段の遅延時間として設定されているが（これ自体は周知技術である）、中央音声データＣを除くチャンネルに対応する遅延手段の遅延時間に、ディスプレイ装置３０の音声処理部３６の音声処理にかかる遅延時間（ディスプレイ側遅延時間）がさらに加算される。これにより、ディスプレイ装置３０のディスプレイスピーカーから再生される音声が、ＡＶアンプ２０に接続されたスピーカーから再生される音声に対して遅延が生じることを防止することが出来る。
【００４６】
なお、本実施形態において、ＡＶアンプの音声処理部２６のＤＳＰ４１の音声処理でかかる遅延時間は中央音声データＣを含む全てのチャンネルについて同じ遅延時間が生じるので問題にならないこととする。また、本実施形態においては、ＡＶアンプ２０の増幅処理部５２はアナログアンプが採用されているので、ディスプレイ３０が備える増幅処理部とは異なり、遅延時間を生じないこととする。また、ＡＶアンプ２０のＨＤＭＩ送信部２２やディスプレイ装置３０のＨＤＭＩ受信部３１でのＨＤＭＩ変換処理にかかる時間は無視できる程度にきわめて短い時間であるので、考慮しなくても問題にならない。
【００４７】
［ディスプレイ装置３０の構成］
次に、再び図２を参照し、ディスプレイ装置３０について説明する。ディスプレイ装置３０は、ＨＤＭＩ受信部３１と、表示部３２と、制御部３３と、メモリ（ＲＯＭ、ＲＡＭ、フラッシュメモリ等）３４と、操作部３５と、音声処理部３６と、スピーカー３７（図１における、ディスプレイ左スピーカーＳＬＤ及びディスプレイ右スピーカーＳＲＤに対応）と、コネクタ部３８とを有する。
【００４８】
ＨＤＭＩ受信部３１は、ＡＶアンプ２０のＨＤＭＩ送信部２２から送信されたＨＤＭＩデータを受信して、ＨＤＭＩデータから元の映像データを生成し、表示部３２に供給する。また、ＨＤＭＩ受信部３１は、ＨＤＭＩデータから元の音声データを生成して、音声処理部３６に供給する。音声データは、上記の通り、中央音声データＣを含むＳＰＤＩＦ（ＰＣＭ）データである。
【００４９】
音声処理部３６は、ＨＤＭＩ受信部３１から供給された音声データを、音響処理、Ｄ／Ａ変換処理、ボリューム調整処理、増幅処理等の各処理を実行し、スピーカー３７に供給する。図４は、音声処理部３６の概略構成を示すブロック図である。音声処理部３６は、ＤＳＰ（デジタルシグナルプロセッサ）５５、および／または、デジタルアンプ（例えばスイッチングアンプ、Ｄ級アンプ、１ビットデジタルアンプ等）５６を含む。
【００５０】
ＤＳＰ５６は、ＨＤＭＩ受信部３１から供給される音声データに音響処理や、デコード処理を実行し、デジタルアンプ５６に供給する。デジタルアンプ５６は、ＤＳＰ５５から供給される音声データを増幅し、ＬＰＦ等によってアナログ信号に変換し、音声信号をスピーカーに出力する。すなわち、中央音声データＣがディスプレイ左スピーカーＳＬＤ、および、ディスプレイ右スピーカーＳＲＤから再生される。上記の通り、ＤＳＰ５５やデジタルアンプ５６における音声処理には所定の遅延時間が発生する。
【００５１】
図２に戻って、表示部３２は、ＨＤＭＩ受信部３１から映像データが供給され、当該映像データに基づいて映像を表示するものであり、例えば、ＬＣＤまたはＰＤＰ等である。
【００５２】
制御部３３は、内蔵又は接続されたメモリ３４に格納されたディスプレイ装置の動作プログラムに基づいて、ＨＤＭＩ受信部３１、表示部３２、音声処理部３６等を制御するものであり、例えば、マイクロコンピュータやＣＰＵ等である。制御部３３は、操作部３５からの操作入力または各部からの制御信号およびデータに基づいて各種処理を実行する。
【００５３】
メモリ３４には、ＤＳＰ５５やデジタルアンプ５６の音声処理にかかる遅延時間情報が予め格納されている。制御部３３は、ＣＥＣラインを介して、ＡＶアンプ２０の制御部２３に音声処理にかかる遅延時間情報を送信する。
【００５４】
制御部３３は、ＡＶアンプ２０の制御部２３からボリューム設定コマンドを受信すると、ボリューム設定コマンドに含まれているボリューム値に基づいて、ボリューム値を制御する。制御部３３は、ボリューム値の制御が完了すると、ＣＥＣラインを介して、ＡＶアンプ２０の制御部２３にボリューム設定完了通知を送信する。ＡＶアンプ２０に、中央音声データＣを含むＨＤＭＩデータの送信開始を促すためである。
【００５５】
［音声再生システムの動作］
以下、本発明の動作を図５のフローチャートを参照し、説明する。図５に示すように、ＡＶアンプ２０の制御部２３は、ディスプレイ装置３０がＡＶアンプ２０に接続されたか否かを判断する（Ｓ１０１）。接続された場合（Ｓ１０１でＹＥＳ）、制御部２３は、ディスプレイ装置３０の制御部３３に、ＣＥＣラインを介して、音声処理にかかる遅延時間情報を要求する（Ｓ１０２）。ディスプレイ装置３０の制御部３３は、音声処理にかかる遅延時間情報の要求を受信すると、メモリ３４から音声処理にかかる遅延時間情報を読み出して、ＣＥＣラインを介して、ＡＶアンプ２０に送信する（Ｓ２０１）。ＡＶアンプ２０の制御部２３は、ＣＥＣラインを介して、音声処理にかかる遅延時間情報を受信し、メモリ２５に保存する（Ｓ１０２）。
【００５６】
制御部２３は、ユーザ操作によって、ディスプレイ装置３０のスピーカーを使用して中央音声データＣを再生する指示が入力されたか否かを判断する（Ｓ１０３）。入力された場合（Ｓ１０３でＹＥＳ）、中央音声データＣ以外のチャンネルの音声データに対応する各遅延手段に設定されている遅延時間に、ディスプレイ装置３０から受信した音声処理にかかる遅延時間を加算する（Ｓ１０４）。すなわち、左音声データＬ、右音声データＲ、低域音声データＳＷ、サラウンド左音声データＳＬ、サラウンド右音声データＳＲに対応する遅延手段４３ａ、４３ｂ、４３ｄ、４３ｅ、４３ｆの遅延時間に、ディスプレイ装置側の遅延時間を加算する。続いて、制御部２３は、スイッチ手段４９を下側に切換える（Ｓ１０５）。従って、中央音声データＣは変換部５３に供給されＳＰＤＩＦ形式に変換され、ＨＤＭＩ送信部２２でＨＤＭＩデータに変換されて、ディスプレイ装置３０のＨＤＭＩ受信部３１に送信される。ディスプレイ装置３０のＨＤＭＩ受信部３１はＨＤＭＩデータを受信し、中央音声データＣを生成し、音声処理部３６を介してスピーカー３７から中央音声データＣが再生される。
【００５７】
このとき、中央音声データＣ以外のチャンネルの音声データに対応する各遅延手段に設定されている遅延時間に、ディスプレイ装置３０から受信した音声処理にかかる遅延時間を加算することで、ディスプレイ装置３０のスピーカー３７から再生される中央音声データＣの音声が、ＡＶアンプ２０に接続されているスピーカーから再生される他のチャンネルの音声に対して遅延することを防止することができる。ＡＶアンプ２０に接続されているスピーカーから再生される他のチャンネルの音声を、ディスプレイ装置３０のスピーカー３７から再生される中央音声データＣの音声と同じだけ遅延させることができるからである。
【００５８】
一方、Ｓ１０３でディスプレイ装置３０のスピーカー３７を使用しない（つまり、ＡＶアンプ２０に接続されている中央スピーカーＳＣを使用する）指示がユーザ操作によって入力された場合（Ｓ１０３でＮＯ）、制御部２３は、中央音声データＣ以外のチャンネルの音声データに対応する各遅延手段に設定されている遅延時間に、ディスプレイ装置３０から受信した音声処理にかかる遅延時間を加算しない。すなわち、制御部２３は、各チャンネルの遅延手段の遅延時間を、通常の方法（スピーカー配置及びリスナーの位置）で決定された遅延時間のみに設定する（Ｓ１０６）。制御部２３は、スイッチ手段４９を上側に切換える（Ｓ１０７）。従って、中央音声データＣは、ＡＶアンプ２０に接続されているスピーカーＳＣから再生される。
【００５９】
ここで、中央音声データＣ以外のチャンネルの音声データに対応する各遅延手段に設定されている遅延時間に、ディスプレイ装置３０から受信した音声処理にかかる遅延時間を加算しないことによって、ＡＶアンプ２０に接続されている中央スピーカーＳＣ以外のチャンネルのスピーカーから再生される音声が、ＡＶアンプ２０に接続されている中央スピーカーＳＣから再生される音声に対して遅延してしまうことを防止できる。
【００６０】
以上のように本実施形態によると、ディスプレイ装置３０の音声処理にかかる遅延時間を、ディスプレイスピーカーで再生する中央音声データＣ以外のチャンネルの音声データの遅延手段の遅延時間に加算することによって、ディスプレイスピーカーから再生される音声が、ＡＶアンプ２０に接続されているスピーカーから再生される音声に対して遅延することを防止できる。なお、本実施形態において、スイッチ手段４９を設けずに、中央音声データＣを必ずディスプレイ装置３０のスピーカー３７から再生する場合には、図５のフローチャートにおいて、Ｓ１０３、Ｓ１０５、Ｓ１０６、Ｓ１０７の各処理は省略されるとよい。
【００６１】
次に本発明の別の好ましい実施形態を説明する。本実施形態では、ディスプレイ装置３０のＤＳＰ５５の音響処理には複数の種類が存在し、種類に応じてそれぞれ遅延時間が異なっている。ディスプレイ装置３０のメモリ３４には、図６に示す遅延時間テーブルが予め格納されている。遅延時間テーブルは、ＤＳＰ５５の音響処理に対応付けて遅延時間情報が登録されている。
【００６２】
図７は本実施形態の動作を示すフローチャートである。ＡＶアンプ２０の制御部２３は、ディスプレイ装置３０がＡＶアンプ２０に接続されたか否かを判断する（Ｓ１５１）。接続された場合（Ｓ１５１でＹＥＳ）、制御部２３は、ディスプレイ装置３０の制御部３３に、ＣＥＣラインを介して、音声処理にかかる遅延時間情報を要求する（Ｓ１５２）。ディスプレイ装置３０の制御部３３は、音声処理にかかる遅延時間情報の要求を受信すると、メモリ３４から各音響処理毎の音声処理にかかる遅延時間情報（つまり図６のテーブル）を読み出して、ＣＥＣラインを介して、ＡＶアンプ２０に送信する（Ｓ２５１）。ＡＶアンプ２０の制御部２３は、ＣＥＣラインを介して、各音響処理毎の音声処理にかかる遅延時間情報を受信し、メモリ２５に保存する（Ｓ１５２）。
【００６３】
ディスプレイ装置３０の制御部３３は、ＤＳＰ５５に設定されている音響処理の種類を特定し、特定した音響処理の種類を、ＣＥＣラインを介して、ＡＶアンプ２０の制御部２３に送信する（Ｓ２５２）。ＡＶアンプ２０の制御部２３は、ＤＳＰ５５に設定されている音響処理の種類を受信し（Ｓ１５３）、受信した音響処理の種類に対応する遅延時間をＳ１５２で受信した遅延時間の中から特定し、メモリに保存する。この処理は、ユーザ操作によって音響処理の種類が変更される毎に実行される。つまり、ユーザ操作によって音響処理の種類が変更される毎に、ＡＶアンプ２０の制御部２３が各遅延手段の遅延時間に加算する遅延時間を変更する。
【００６４】
なお、ディスプレイ装置３０の制御部３３が、特定した音響処理に対応する遅延時間を図６のテーブルから特定し、特定した遅延時間情報をＡＶアンプ２０の制御部２３にＣＥＣラインを介して送信するようにしてもよい。この場合、図６のテーブルをＡＶアンプ２０側で保存しておく必要がなくなる。
【００６５】
制御部２３は、ユーザ操作によって、ディスプレイ装置３０のスピーカーを使用して中央音声データＣを再生する指示が入力されたか否かを判断する（Ｓ１５４）。入力された場合（Ｓ１５４でＹＥＳ）、中央音声データＣ以外のチャンネルの音声データに対応する各遅延手段に設定されている遅延時間に、Ｓ１５３で特定したディスプレイ装置３０の現在の音響処理に対応する遅延時間を加算する（Ｓ１５５）。制御部２３は、スイッチ手段４９を下側に切換える（Ｓ１５６）。従って、中央音声データＣは変換部５３に供給されＳＰＤＩＦ形式に変換され、ＨＤＭＩ送信部２２でＨＤＭＩデータに変換されて、ディスプレイ装置３０のＨＤＭＩ受信部３１に送信される。ディスプレイ装置３０のＨＤＭＩ受信部３１はＨＤＭＩデータを受信し、中央音声データＣを生成し、音声処理部３６を介してスピーカー３７から中央音声データＣが再生される。
【００６６】
このとき、中中央音声データＣ以外のチャンネルの音声データに対応する各遅延手段に設定されている遅延時間に、ディスプレイ装置３０の現在の音響処理に対応する遅延時間を加算することで、ディスプレイ装置３０のスピーカー３７から再生される中央音声データＣの音声が、ＡＶアンプ２０に接続されているスピーカーから再生される他のチャンネルの音声に対して遅延することを防止することができる。
【００６７】
一方、Ｓ１５４でディスプレイ装置３０のスピーカー３７を使用しない（つまり、ＡＶアンプ２０に接続されている中央スピーカーＳＣを使用する）指示がユーザ操作によって入力された場合（Ｓ１５４でＮＯ）、制御部２３は、中央音声データＣ以外のチャンネルの音声データに対応する各遅延手段に設定されている遅延時間に、ディスプレイ装置３０の現在の音響処理に対応する遅延時間を加算しない。すなわち、制御部２３は、各チャンネルの遅延手段の遅延時間を、通常の方法（スピーカー配置及びリスナーの位置）で決定された遅延時間に設定する（Ｓ１５７）。制御部２３は、スイッチ手段４９を上側に切換える（Ｓ１５８）。従って、中央音声データＣは、ＡＶアンプ２０に接続されているスピーカーＳＣから再生される。
【００６８】
次に、本発明のさらに別の好ましい実施形態を説明する。本実施形態では、ＡＶアンプ２０の増幅処理部５２がデジタルアンプで実現されている等の理由で、音声処理部２６におけるＤＳＰ４１以外の音声処理において遅延時間が生じることとする。この場合に、ディスプレイ装置３０の音声処理にかかる遅延時間だけでなく、ＡＶアンプ２０のＤＳＰ４１以外の音声処理にかかる遅延時間を考慮して遅延時間を設定する。ＡＶアンプ２０のＤＳＰ４１以外の音声処理にかかる遅延時間とは、すなわち、中央音声データＣを除く他のチャンネルの音声データに対する音声処理のみに生じる遅延時間のことであり、この遅延時間はメモリに予め格納されている。
【００６９】
図８は、本実施形態の動作を説明するフローチャートである。ＡＶアンプ２０の制御部２３は、ディスプレイ装置３０がＡＶアンプ２０に接続されたか否かを判断する（Ｓ１７１）。接続された場合（Ｓ１７１でＹＥＳ）、制御部２３は、ディスプレイ装置３０の制御部３３に、ＣＥＣラインを介して、音声処理にかかる遅延時間情報を要求する（Ｓ１７２）。ディスプレイ装置３０の制御部３３は、音声処理にかかる遅延時間情報の要求を受信すると、メモリ３４から音声処理にかかる遅延時間情報を読み出して、ＣＥＣラインを介して、ＡＶアンプ２０に送信する（Ｓ２７１）。ＡＶアンプ２０の制御部２３は、ＣＥＣラインを介して、音声処理にかかる遅延時間情報を受信し、メモリ２５に保存する（Ｓ１７２）。
【００７０】
制御部２３は、ユーザ操作によって、ディスプレイ装置３０のスピーカーを使用して中央音声データＣを再生する指示が入力されたか否かを判断する（Ｓ１７３）。入力された場合（Ｓ１７３でＹＥＳ）、ディスプレイ装置３０の音声処理にかかる遅延時間は、ＡＶアンプ２０のＤＳＰ以外の音声処理にかかる遅延時間よりも大きいか否かを判断する（Ｓ１７４）。大きい場合（Ｓ１７４でＹＥＳ）、制御部２３は、ディスプレイ装置３０の音声処理にかかる遅延時間から、ＡＶアンプ２０のＤＳＰ以外の音声処理にかかる遅延時間を減算し、補正用の遅延時間を算出する（Ｓ１７５）。
【００７１】
制御部２３は、中央音声データＣ以外のチャンネルの音声データに対応する各遅延手段に設定されている遅延時間に、Ｓ１７５で算出した補正用の遅延時間を加算する（Ｓ１７６）。制御部２３は、スイッチ手段４９を下側に切換える（Ｓ１７７）。従って、中央音声データＣは変換部５３に供給されＳＰＤＩＦ形式に変換され、ＨＤＭＩ送信部２２でＨＤＭＩデータに変換されて、ディスプレイ装置３０のＨＤＭＩ受信部３１に送信される。ディスプレイ装置３０のＨＤＭＩ受信部３１はＨＤＭＩデータを受信し、中央音声データＣを生成し、音声処理部３６を介してスピーカー３７から中央音声データＣが再生される。
【００７２】
このとき、中央音声データＣ以外のチャンネルの音声データに対応する各遅延手段に設定されている遅延時間に、Ｓ１７５で算出した補正用の遅延時間を加算することで、ディスプレイ装置３０のスピーカー３７から再生される中央音声データＣの音声が、ＡＶアンプ２０に接続されているスピーカーから再生される他のチャンネルの音声に対して遅延することを防止することができる。
【００７３】
一方、Ｓ１７４で大きくないと判断された場合（Ｓ１７４でＮＯ）、制御部２３は、ＡＶアンプ２０のＤＳＰ以外の音声処理にかかる遅延時間から、ディスプレイ装置３０の音声処理にかかる遅延時間を減算し、補正用の遅延時間を算出する（Ｓ１７８）。
【００７４】
制御部２３は、中央音声データＣに対応する遅延手段に設定されている遅延時間に、Ｓ１７８で算出した補正用の遅延時間を加算する（Ｓ１７９）。制御部２３は、スイッチ手段４９を下側に切換える（Ｓ１７７）。このとき、中央音声データＣに対応する遅延手段に設定されている遅延時間に、Ｓ１７８で算出した補正用の遅延時間を加算することで、ＡＶアンプ２０に接続されているスピーカーから再生される他のチャンネルの音声が、ディスプレイ装置３０のスピーカー３７から再生される中央音声データＣの音声に対して遅延することを防止することができる。
【００７５】
一方、Ｓ１７３でディスプレイ装置３０のスピーカー３７を使用しない（つまり、ＡＶアンプ２０に接続されている中央スピーカーＳＣを使用する）指示がユーザ操作によって入力された場合（Ｓ１７３でＮＯ）、制御部２３は、中央音声データＣ以外のチャンネルの音声データに対応する各遅延手段に設定されている遅延時間に、ディスプレイ装置３０から受信した音声処理にかかる遅延時間を加算しない。すなわち、制御部２３は、各チャンネルの遅延手段の遅延時間を、通常の方法（スピーカー配置及びリスナーの位置）で決定された遅延時間に設定する（Ｓ１８０）。制御部２３は、スイッチ手段４９を上側に切換える（Ｓ１８１）。従って、中央音声データＣは、ＡＶアンプ２０に接続されているスピーカーＳＣから再生される。
【００７６】
以上、本発明の好ましい実施形態を説明したが、本発明はこれらの実施形態には限定されない。ＡＶアンプ２０にＢＤプレーヤ１０の機能が含まれていてもよく、この場合、ＨＤＭＩ受信部２１は不要になる。また、ＡＶアンプ２０が、ＢＤプレーヤ１０に代えてＴＶチューナやラジオチューナ等の受信機からＨＤＭＩデータを受信してもよい。また、ディスプレイ装置に送信される音声データは、ＨＤＭＩケーブルを介して送信されるのではなく、光デジタルケーブル等で送信されてもよい。この場合、別途他の通信ケーブルを介して周波数特性の情報が送信されるとよい。つまり、周波数特性情報はＣＥＣ以上の他の通信方式（ＵＳＢ、ＩＥＥＥ１３０４等）で送信されてもよい。また、ＡＶアンプの上記動作をコンピュータに実行させるためのプログラムおよびこれを記録した記録媒体という形態で提供されてもよい。また、ＡＶアンプの上記動作の一部のみのプログラムを、ＡＶアンプにファームウェアアップデートという形態で提供されてもよい。さらには、ＡＶアンプの上記動作の一部のみのプログラムが格納されたＤＳＰ、マイコンなどの電子部品という形態で提供されてもよい。
【産業上の利用可能性】
【００７７】
本発明は、ＡＶアンプ等に好適に採用され得る。
【符号の説明】
【００７８】
１０            ＢＤプレーヤ
１１            再生部
１３            ＨＤＭＩ送信部
１４            制御部
１５            操作表示部
１６            メモリ
１７            コネクタ部
２０            ＡＶアンプ
２１            ＨＤＭＩ受信部
２２            ＨＤＭＩ送信部
２３            制御部
２４            操作表示部
２５            メモリ
２６            音声処理部
２７            コネクタ部
２８            コネクタ部
３０            ディスプレイ装置
３１            ＨＤＭＩ受信部
３２            表示部
３３            制御部
３４            メモリ
３５            操作部
３６            音声処理部
３７            ディスプレイスピーカー
３８            コネクタ部
４１            ＤＳＰ
４２ａ〜４２ｅ  ＨＰＦ
４３ａ〜４３ｅ  遅延手段
４４ａ〜４４ｅ  ＬＰＦ
４５ａ〜４５ｂ  減衰手段
４６            加算手段
４７            増幅手段
４８ａ〜４８ｂ  加算手段
４９            スイッチ手段
５０            ＤＡＣ
５１            ボリューム調整部
５２            増幅処理部
５５            ＤＳＰ
５６            ＤＡＣ
５７            ボリューム調整部
５８            増幅処理部
【図１】
2013090303.tif 000003
【図２】
2013090303.tif 000004
【図３】
2013090303.tif 000005
【図４】
2013090303.tif 000006
【図５】
2013090303.tif 000007
【図６】
2013090303.tif 000008
【図７】
2013090303.tif 000009
【図８】
2013090303.tif 000010